(57)【要約】      （修正有）【課題】３０℃〜７０℃の比較的低温で、マイナスイオンを含むミストを噴霧することができる装置を提供する。【解決手段】下部にエアー吸引口と上部中央部に排出口３が形成されたケース体４と、該ケース体内の一側部に上部がほぼ逆Ｕ字状に形成された送風ダクト５と、該送風ダクト下端部と接続されたエアー吸引口と該送風ダクトへ排出する送風機７と、送風ダクトの先端部が内部に入り込むようにケース体内に配置された上部開口の水収納容器３１と、該水収納容器内の水を吸引して外方へ飛散させ水収納容器の壁面や衝突壁９に衝突させることによってマイナスイオンを含むミストを発生させるミスト発生機１１と、送風ダクト内に設けられた通過するエアーを加熱することができるヒーター１２と、水収納容器内の水を３０℃〜７０℃にあたためる温水ヒーター１３とでサウナ用マイナスイオンミスト発生装置１を構成している。【選択図】図４
2008284124.tif 000002
【特許請求の範囲】
【請求項１】
下部にエアー吸引口が形成され、上部中央部に排出口が形成されたケース体と、このケース体内の一側部に上部がほぼ逆Ｕ字状に形成された送風ダクトと、この送風ダクトの下端部と接続された前記エアー吸引口よりエアーを吸引して該ダクトへ排出する送風機と、前記送風ダクトの先端部が内部に入り込むように前記ケース体内に配置された上部開口の水収納容器と、この水収納容器内に収納された水を吸引して外方へ飛散させ、該水収納容器の壁面あるいは水収納容器内に下端部が位置するように前記ケース体に固定された衝突壁に衝突させることによってマイナスイオンを含むミストを発生させる回転体を有する前記ケース体内に取付けられたミスト発生機と、前記送風ダクト内に設けられた通過するエアーを加熱することができるヒーターと、前記水収納容器内の水を３０℃〜７０℃にあたためる温水ヒーターとからなることを特徴とするサウナ用マイナスイオンミスト発生装置。
【請求項２】
下部にエアー吸引口が形成され、上部中央部に排出口が形成されたケース体と、このケース体内の一側部に上部がほぼ逆Ｕ字状に形成された送風ダクトと、この送風ダクトの下端部と接続された前記エアー吸引口よりエアーを吸引して該ダクトへ排出する送風機と、前記送風ダクトの先端部が内部に入り込むように前記ケース体内に配置された上部開口の水収納容器と、この水収納容器内に収納された水を吸引して外方へ飛散させ、該水収納容器の壁面あるいは水収納容器内に下端部が位置するように前記ケース体に固定された衝突壁に衝突させることによってマイナスイオンを含むミストを発生させる回転体を有する前記ケース体内に取付けられたミスト発生機と、前記送風ダクト内に設けられた通過するエアーを加熱することができるヒーターと、前記水収納容器内の水を３０℃〜７０℃にあたためる温水ヒーターと、前記水収納容器内に収納された水を常時所定量に保つように供給することができるように、前記ケース体の他側部の上部より挿入することができるように取付けられた給水タンクとからなることを特徴とするサウナ用マイナスイオンミスト発生装置。
【発明の詳細な説明】
【技術分野】
【０００１】
本発明は低温のミストサウナに使用されるサウナ用マイナスイオンミスト発生装置に関する。
【背景技術】
【０００２】
従来のミストサウナ装置は浴室内へ温風を吹き出す浴室暖房機と、湯沸し器からの温水を浴室内へ噴霧するミスト噴霧器とで構成されている。
【０００３】
このため、ミストサウナ装置は浴室をミストサウナ室に改造するような作業を行なわなければ設置することができないという欠点があった。
【特許文献１】特開２００６−６８１３０
【発明の開示】
【発明が解決しようとする課題】
【０００４】
本発明は以上のような従来の欠点に鑑み、浴室内に置いたり、サウナ室とホースを介して接続するだけでミストサウナ室として使用することができるとともに、安全に利用できる３０℃〜７０℃の比較的低温で、健康によいとされるマイナスイオンを含むミストを噴霧することができるサウナ用マイナスイオンミスト発生装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は下部にエアー吸引口が形成され、上部中央部に排出口が形成されたケース体と、このケース体内の一側部に上部がほぼ逆Ｕ字状に形成された送風ダクトと、この送風ダクトの下端部と接続された前記エアー吸引口よりエアーを吸引して該ダクトへ排出する送風機と、前記送風ダクトの先端部が内部に入り込むように前記ケース体内に配置された上部開口の水収納容器と、この水収納容器内に収納された水を吸引して外方へ飛散させ、該水収納容器の壁面あるいは水収納容器内に下端部が位置するように前記ケース体に固定された衝突壁に衝突させることによってマイナスイオンを含むミストを発生させる回転体を有する前記ケース体内に取付けられたミスト発生機と、前記送風ダクト内に設けられた通過するエアーを加熱することができるヒーターと、前記水収納容器内の水を３０℃〜７０℃にあたためる温水ヒーターとでサウナ用マイナスイオンミスト発生装置を構成している。
【発明の効果】
【０００７】
以上の説明から明らかなように、本発明にあっては次に列挙する効果が得られる。
【０００８】
（１）下部にエアー吸引口が形成され、上部中央部に排出口が形成されたケース体と、このケース体内の一側部に上部がほぼ逆Ｕ字状に形成された送風ダクトと、この送風ダクトの下端部と接続された前記エアー吸引口よりエアーを吸引して該ダクトへ排出する送風機と、前記送風ダクトの先端部が内部に入り込むように前記ケース体内に配置された上部開口の水収納容器と、この水収納容器内に収納された水を吸引して外方へ飛散させ、該水収納容器の壁面あるいは水収納容器内に下端部が位置するように前記ケース体に固定された衝突壁に衝突させることによってマイナスイオンを含むミストを発生させる回転体を有する前記ケース体内に取付けられたミスト発生機と、前記送風ダクト内に設けられた通過するエアーを加熱することができるヒーターと、前記水収納容器内の水を３０℃〜７０℃にあたためる温水ヒーターとで構成されているので、ケース体の下部の吸引口より送風機で吸引した空気が送風ダクトを通過する時にヒーターで加熱され、水収納容器へ導かれ、水収納容器に収納された水を温水ヒーターで３０℃〜７０℃に加熱され、ミスト発生機でマイナスイオンを含むミストとなって、ケース体の上部中央部の排出口より排出される。
このため、浴室に置いて駆動させるだけで、浴室をミストサウナ室として使用することができる。
したがって、気軽にミストサウナを楽しむことができる。
【０００９】
（２）前記（１）によって、マイナスイオンを含むミストが噴霧されるので、ミストサウナ効果とマイナスイオン効果で健康によいミストサウナを楽しむことができる。
【００１０】
（３）前記（１）によって、水収納容器内へ送風機で供給されるエアーは送風ダクト内のヒーターによって加熱された空気にされるので、ミスト発生機で発生されるマイナスイオンを含むミストの温度の低下を効率よく防止して、ミストサウナとして使用できる温度に保つことができる。
また、エアー吸引口と排出口とをホースを用いて、比較的に小さいスペースの専用ミストサウナ室に接続して、ミストサウナ室外に設置して使用してもよい。この場合、ミストサウナ室が比較的に小さいスペースであるため、効率よくミストサウナ室をミストサウナ状態にすることができる。
【００１１】
（４）前記（１）によって、水収納容器内の水は温水ヒーターによって３０℃〜７０℃に加熱されたものを使用するので、ミスト発生機でマイナスイオンを含むミストとして排出口より噴霧されても、やけどをしたりする危険はなく、安全に使用することができる。
【００１２】
（５）請求項２も前記（１）〜（４）と同様な効果が得られるとともに、給水タンクによって、水収納容器内に常時所定量の水が収納されるように保つことができる。
したがって、安全に長時間使用することができる。
【発明を実施するための最良の形態】
【００１３】
以下、図面に示す本発明を実施するための最良の形態により、本発明を詳細に説明する。
【００１４】
図１ないし図７に示す本発明を実施するための最良の第１の形態において、１は浴室に置いて、浴室をミストサウナ室として使用することができる本発明のサウナ用マイナスイオンミスト発生装置で、このサウナ用マイナスイオンミスト発生装置１は下部側面にエアー吸引口２が形成され、上部中央部に排出口３が形成されたケース体４と、このケース体４内の一側部に、該ケース体４の上部にほぼ逆Ｕ字状に形成された上部が位置する送風ダクト５と、この送風ダクト５の下端部と排出口３が接続された、前記エアー吸引口２に吸引口６が接続された送風機７と、前記送風ダクト５の先端部が内部に入り込むように前記ケース体４内に配置された上部開口の水収納容器８と、この水収納容器８内に収納された水を吸引して外方へ飛散させ、該水収納容器８内に下端部が位置するように前記ケース体４に固定された衝突壁９に衝突させることによってマイナスイオンを含むミストを発生させる回転体１０を有する、前記ケース体４に取付けられたミスト発生機１１と、前記送風ダクト５内に設けられた通過するエアーを３０℃〜６０℃に加熱することができるヒーター１２と、前記水収納容器８内の水を３０℃〜７０℃にあたためる温水ヒーター１３と、前記水収納容器８内に収納された水を常時所定量に保つように供給することができるように、前記ケース体４の他側部の上部より挿入することができるように取付けられた自動定量供給バルブ１４を備える給水タンク１５と、この給水タンク１５の下部位置の前記ケース体４内に設けられた、前記水収納容器８の排水口１６より排水される水を収納することができる排水タンク１７と、前記回転体１０の上部と前記排出口３との間のケース体４に取付けられたミストガイド筒１８とで構成されている。
なお、４１は送風羽根、４２はキャップ、４３は吹き出口、ファンモータ、４７はモータ固定部である。
【００１５】
前記ケース体４は浅皿状で、底面に脚部材１９、１９、１９、１９が固定された底板２０と、この底板２０に下端部が複数本のビス２１によって固定され、上端部にクランク状に曲げられた取付部２２が形成された筒状のケース本体２３と、このケース本体２３の取付部２２に複数本のビス２１で固定されるほぼ中央部に排出口３が形成された回転可能な吹出し口部材２４が取付けられるとともに、その他側面に給水カートリッジ挿入孔２５が形成された天板２６とで構成されている。  
【００１６】
前記送風ダクト５は下端部が前記送風機７の排出口２７と接続される内部に前記ヒーター１２が設けられるダクト本体２８と、このダクト本体２８の上端部と接続される前記水収納容器８と上方へ突出する部分が一体形成された上部接続ダクト２９と、この上部接続ダクト２９にかぶさるように取付けられ、エアーを前記水収納容器８内へ逆Ｕ字状に導くカバーダクト３０とで構成されている。  
【００１７】
前記水収納容器８は楕円形状に形成された水収納容器本体３１と、この水収納容器本体３１の上部外周部に前記ケース本体２３の取付部２２に複数本のビス２１で固定される取付片３２と、前記天板２６の排出口３のほぼ中央部と対応する部位の前記水収納容器本体３１に形成された筒状の軸受部材３３とで構成されている。
【００１８】
前記ミスト発生機１１は前記水収納容器８の軸受部材３３に軸受３４、３５を介して上部が該水収納容器８内へ位置する回転可能に取付けられた駆動軸３６を有する水収納容器８の底面に取付けられたモータ３７と、このモータ３７の駆動軸３６の上部に取付けられた、前記水収納容器８内に収納された水を外周部の螺旋状の溝３８に沿って上方へ移動させ、外方へ飛散させ、飛散された水をくし状の衝突分散体３９によってマイナスイオンを含むミストを発生させる回転体１０とで構成されている。
【００１９】
上記構成のサウナ用マイナスイオンミスト発生装置１は給水タンク１５に水を入れてケース体４に取付けることにより、給水タンク１５内の水が水収納容器８内に所定量となるように自動定量供給バルブ１４より供給される。
この状態で、温水ヒーター１３で水収納容器８内の水を３０℃〜７０℃にあたためるとともに、ヒーター１２を加熱し、送風機７の送風羽根４１を駆動させると、ケース体４のエアー吸引口２より吸引されたエアーは送風機７の送風羽根４１によって送風ダクト５を通過する時に、ヒーター１２で３０℃〜６０℃にあたためられ、水収納容器８内へ供給される。
モータ３７の回転によって水収納容器８内の３０℃〜７０℃にあたためられた水は回転体１０の螺旋状の溝３８に沿って上方へ移動し、上方でくし状の衝突分散体３９に衝突するように外方へ飛散され、マイナスイオンを含むあたたかなミストを発生させ、このあたたかなミストが送風ダクト５を通過して加熱されたエアーといっしょにミストガイド筒１８を通って天板２６の排出口３より排出（噴霧）することができ、浴室内に設置することにより、浴室内をミストサウナ室にすることができる。
なお、エアー吸引口２と排出口３とをホースを用いて、比較的に小さいスペースの専用ミストサウナ室に接続して、ミストサウナ室外に設置して使用してもよい。
この場合、ミストサウナ室が比較的に小さいスペースであるため、効率よくミストサウナ室をミストサウナ状態にすることができる。
[発明を実施するための異なる形態]
【００２０】
次に、図８ないし図１１に示す本発明を実施するための異なる形態につき説明する。なお、この本発明を実施するための異なる形態の説明に当って、前記本発明を実施するための最良の第１の形態と同一構成部分には同一符号を付して重複する説明を省略する。
【００２１】
図８ないし図１１に示す本発明を実施するための第２の形態において、前記本発明を実施するための最良の第１の形態と主に異なる点は、円筒状の水収納容器８Ａを用いるとともに、該水収納容器８Ａの下部と連通する給水タンク支持皿４０を設けた点で、このような水収納容器８Ａを用いることにより、壁面８ａが衝突壁となるサウナ用マイナスイオンミスト発生装置１Ａとなり、前記本発明を実施するための最良の第１の形態と同様な作用効果が得られる。
なお、４５は吊り部、４６は通水孔である。
【産業上の利用可能性】
【００２２】
本発明は浴室等に置いて使用したり、小さなサウナ室とホースを介して接続することにより、浴室内やサウナ室をミストサウナ室として使用することができる、サウナ用マイナスイオンミスト発生装置を製造する産業で利用される。
【図面の簡単な説明】
【００２３】
【図１】本発明を実施するための最良の第１の形態の正面図。
【図２】本発明を実施するための最良の第１の形態の給水タンクをセットしていない状態の平面図。
【図３】本発明を実施するための最良の第１の形態の側面図。
【図４】図２の４−４線に沿う断面図。
【図５】図1の５−５線に沿う給水タンクをセットしていない状態の断面図。
【図６】図２の６−６線に沿う断面図。
【図７】本発明を実施するための最良の第１の形態の回転体の説明図。
【図８】本発明を実施するための第２の形態の正面図。
【図９】本発明を実施するための第2の形態の給水タンクをセットしていない状態の平面図。
【図１０】図9の１０−１０線に沿う断面図。
【図１１】図８の１１−１１線に沿う給水タンクをセットしていない状態の断面図。
【符号の説明】
【００２４】
１、１Ａ：サウナ用マイナスイオンミスト発生装置、
２：エアー吸引口、                                    ３：排出口、
４：ケース体、                              ５：送風ダクト、    
６：吸引口、                                                ７：送風機、
８、８Ａ：水収納容器、                ９：衝突壁、
１０：回転体、                                １１：ミスト発生機、
１２：ヒーター、                            １３：温水ヒーター、
１４：自動定量供給バルブ、        １５：給水タンク、
１６：排水口、                                １７：排水タンク、
１８：ミストガイド筒、                １９：脚部材、        
２０：底板、                                                ２１：ビス、
２２：取付部、                                ２３：ケース本体、
２４：吹出し口部材、                    ２５：給水カートリッジ挿入孔、
２６：天板、                                                ２７：排出口、
２８：ダクト本体、                                    ２９：上部接続ダクト、
３０：カバーダクト、                    ３１：水収納容器本体、
３２：取付片、                                ３３：軸受部材、
３４：軸受、                                                ３５：軸受、
３６：駆動軸、                                ３７：モータ、
３８：螺旋状の溝、                                    ３９：衝突分散体、
４０：給水タンク支持皿。
【図１】
2008284124.tif 000003
【図２】
2008284124.tif 000004
【図３】
2008284124.tif 000005
【図４】
2008284124.tif 000006
【図５】
2008284124.tif 000007
【図６】
2008284124.tif 000008
【図７】
2008284124.tif 000009
【図８】
2008284124.tif 000010
【図９】
2008284124.tif 000011
【図１０】
2008284124.tif 000012
【図１１】
2008284124.tif 000013